(57)【要約】【課題】  本発明の目的は、口腔内のマッサージに適した形状を有し、簡易かつ効果的な口腔内マッサージを実現することが可能な、口腔内マッサージ具を提供することである。【解決手段】  口腔内を押圧するためのヘッド部と、ヘッド部から延設するように形成される柄部とを備え、ヘッド部における口腔内を押圧するための押圧面の少なくとも一部が、親指の指腹を模した形状を有しており、押圧面における長軸と短軸の長さの比（長軸の長さ／短軸の長さ）が、１７／１０〜３／１である、口腔内マッサージ具。【選択図】図１
2019058353.tif 000002
【特許請求の範囲】
【請求項１】
口腔内を押圧するためのヘッド部と、
ヘッド部から延設するように形成される柄部とを備え、
ヘッド部における口腔内を押圧するための押圧面の少なくとも一部が、親指の指腹を模した形状を有しており、
押圧面における長軸と短軸の長さの比（長軸の長さ／短軸の長さ）が、１７／１０〜３／１である、口腔内マッサージ具。
【請求項２】
押圧面における長軸の長さが、２０〜７０ｍｍである、
請求項１に記載の口腔内マッサージ具。
【請求項３】
押圧面が、熱可塑性エラストマーにより形成される、
請求項１又は２に記載の口腔内マッサージ具。
【請求項４】
押圧面が、ＪＩＳ Ｋ ６２５１に準拠して測定される引張強さが４〜２４ＭＰａの材料により形成される、
請求項１〜３のいずれかに記載の口腔内マッサージ具。
【請求項５】
口腔内マッサージ具が、側面視において、上に凸な湾曲構造を有する、
請求項１〜４のいずれかに記載の口腔内マッサージ具。
【請求項６】
ヘッド部が、柄部から着脱自在である、
請求項１〜５のいずれかに記載の口腔内マッサージ具。
【請求項７】
口腔内マッサージ具に用いるためのヘッド部品であって、
ヘッド部品における口腔内を押圧するための押圧面の少なくとも一部が、親指の指腹を模した形状を有しており、
押圧面における長軸と短軸の長さの比（長軸の長さ／短軸の長さ）が、１７／１０〜３／１である、ヘッド部品。
【請求項８】
口腔内を押圧するためのヘッド部と、ヘッド部から延設するように形成される柄部とを備え、ヘッド部における口腔内を押圧するための押圧面の少なくとも一部が、親指の指腹を模した形状を有しており、押圧面における長軸と短軸の長さの比（長軸の長さ／短軸の長さ）が、１７／１０〜３／１である口腔内マッサージ具を用いることを特徴とする、口腔内のマッサージ方法。
【発明の詳細な説明】
【技術分野】
【０００１】
本発明は、口腔内マッサージ具、口腔内マッサージ具用のヘッド部品、及び口腔内マッサージ具を用いた口腔内のマッサージ方法に関する。
【背景技術】
【０００２】
近年、美容やリラクゼーション、又は病気予防などを目的として、歯科衛生士などによる口腔内のマッサージが行われている。例えば、硬くなった表情筋を口腔内からマッサージすることで、ほうれい線を目立たなくさせたり、口角を上げたり等の効果を得ることができるといわれている。また、例えば、口腔内をマッサージにより刺激して唾液の分泌を促進させることで、口腔内での細菌の増殖を抑制し、虫歯や歯周病などを予防することが可能である。
【０００３】
このような口腔内のマッサージを自分で実施する場合、自分の指を口腔内に入れてマッサージをすることもできるが、熟練していない状態では、爪などによって口腔内を傷つけてしまう恐れがあった。また、衛生的な面からも、好ましいとはいえなかった。
【０００４】
このような問題を解決するために、例えば、特許文献１には、特定のマッサージ器具を用いて口腔内のマッサージを行うことが開示されている。具体的には、特許文献１には、口腔前庭部に挿入されほうれい線の発生箇所に相当する上唇上方の口内粘膜に押し当てられるマッサージ部と、掌で握るグリップ部及び２本の指で摘む指係止部を有する棒状の把持部とを備えた、ほうれい線マッサージ具が開示されている。
【先行技術文献】
【特許文献】
【０００５】
【特許文献１】実用新案登録第３１８６４３７号公報
【発明の概要】
【発明が解決しようとする課題】
【０００６】
しかし、特許文献１に開示されているマッサージ具は、口腔内に押し当てられるマッサージ部の形状について十分な検討がされておらず、簡易かつ効果的な口腔内マッサージを実現することは難しいという問題があった。特に、特許文献１では、ほうれい線の解消のみを目的とし、上唇上方の口内粘膜のみをマッサージの対象としているため、口腔内におけるその他の部位のマッサージに適したものとはいえなかった。
【０００７】
本発明は、上記のような問題に鑑みてなされたものである。すなわち、本発明の目的は、口腔内のマッサージに適した形状を有し、簡易かつ効果的な口腔内マッサージを実現することが可能な、口腔内マッサージ具を提供することである。
【課題を解決するための手段】
【０００８】
本発明の要旨は、以下の通りである。
【０００９】
［１］口腔内を押圧するためのヘッド部と、ヘッド部から延設するように形成される柄部とを備え、ヘッド部における口腔内を押圧するための押圧面の少なくとも一部が、親指の指腹を模した形状を有しており、押圧面における長軸と短軸の長さの比（長軸の長さ／短軸の長さ）が、１７／１０〜３／１である、口腔内マッサージ具。
【００１０】
［２］押圧面における長軸の長さが、２０〜７０ｍｍである、上記［１］に記載の口腔内マッサージ具。
【００１１】
［３］押圧面が、熱可塑性エラストマーにより形成される、上記［１］又は［２］に記載の口腔内マッサージ具。
【００１２】
［４］押圧面が、ＪＩＳ Ｋ ６２５１に準拠して測定される引張強さが４〜２４ＭＰａの材料により形成される、上記［１］〜［３］のいずれかに記載の口腔内マッサージ具。
【００１３】
［５］口腔内マッサージ具が、側面視において、上に凸な湾曲構造を有する、上記［１］〜［４］のいずれかに記載の口腔内マッサージ具。
【００１４】
［６］ヘッド部が、柄部から着脱自在である、上記［１］〜［５］のいずれかに記載の口腔内マッサージ具。
【００１５】
［７］口腔内マッサージ具に用いるためのヘッド部品であって、ヘッド部品における口腔内を押圧するための押圧面の少なくとも一部が、親指の指腹を模した形状を有しており、押圧面における長軸と短軸の長さの比（長軸の長さ／短軸の長さ）が、１７／１０〜３／１である、ヘッド部品。
【００１６】
［８］口腔内を押圧するためのヘッド部と、ヘッド部から延設するように形成される柄部とを備え、ヘッド部における口腔内を押圧するための押圧面の少なくとも一部が、親指の指腹を模した形状を有しており、押圧面における長軸と短軸の長さの比（長軸の長さ／短軸の長さ）が、１７／１０〜３／１である口腔内マッサージ具を用いることを特徴とする、口腔内のマッサージ方法。
【発明の効果】
【００１７】
本発明によれば、ヘッド部における口腔内を押圧するための押圧面の少なくとも一部を親指の指腹を模した形状とし、押圧面における長軸と短軸の長さの比（長軸の長さ／短軸の長さ）を所定の範囲にしたことにより、簡易かつ効果的な口腔内マッサージを実現することが可能である。
【図面の簡単な説明】
【００１８】
【図１】本発明の実施の形態の少なくとも１つに対応する、口腔内マッサージ具の正面図及び背面図である。
【図２】本発明の実施の形態の少なくとも１つに対応する、口腔内マッサージ具の側面図である。
【図３】本発明の実施の形態の少なくとも１つに対応する、口腔内マッサージ具の模式図である。
【発明を実施するための形態】
【００１９】
以下、図面等を用いて本発明の実施の形態について説明をするが、本発明の趣旨に反しない限り、本発明は以下の実施の形態に限定されない。なお、図面に付された符号は、同一の部位等であっても、異なる符号を付している場合がある。
【００２０】
［第一の実施の形態］
まず、図１及び図２を用いて、本発明の第一の実施の形態にかかる、口腔内マッサージ具について説明をする。図１（ａ）は、口腔内マッサージ具の正面図の一例であり、図１（ｂ）は、口腔内マッサージ具の背面図の一例である。また、図２は、口腔内マッサージ具の側面図の一例であり、図１（ａ）に示される矢印Ａの方向から口腔内マッサージ具を側面視した場合の図である。
【００２１】
図１及び図２に示す口腔内マッサージ具１は、ヘッド部１１及び柄部２１を少なくとも備える。使用者は、例えば、柄部２１を把持した状態で、ヘッド部１１を口腔内に挿入し、ヘッド部１１に形成された押圧面１３を口腔内の所定の部位に押し当てて、口腔内のマッサージを行う。
【００２２】
ヘッド部１１は、平面視にてヘッド部１１の外周に沿うように形成された略楕円状の窪み１２を有する。また、ヘッド部１１は、窪み１２を有する面の反対側の面に、口腔内を押圧してマッサージするための押圧面１３（図１（ｂ）において斜線を付された部分）を有する。
【００２３】
押圧面１３とは、例えば、長軸Ｌａにおける柄部２１側の端部を通り、長軸Ｌａと直交する線分ｎによってヘッド部１１を２つの領域に分けた場合に、柄部２１の反対側に位置する領域である。なお、柄部２１側に位置する領域を、連結部とする。長軸Ｌａの定義については、後述する。
【００２４】
押圧面１３は、その少なくとも一部に人の親指の指腹を模した形状を有する。このような構成により、例えば、歯科衛生士による口腔内マッサージと同様のマッサージを実施することが可能になり、マッサージ効果を高めることができる。よりマッサージ効果を高めるという観点から、押圧面１３は、その全体が人の親指の指腹を模した形状であることが好ましい。
【００２５】
ここで、親指の指腹を模した形状とは、例えば、図１（ａ）に示される矢印Ａの方向からヘッド部１１を側面視した場合に、押圧面１３が略凸形の曲線構造を有し、かつ、図１（ａ）に示される矢印Ｂの方向からヘッド部１１を側面視した場合に、押圧面１３が略凸形の曲線構造を有するような形状をいう。
【００２６】
押圧面１３における長軸Ｌａと短軸Ｓａの長さの比（長軸の長さ／短軸の長さ）は、１７／１０以上であり、２６／１５以上であることが好ましく、５３／３０以上であることがより好ましい。また、押圧面１３における長軸Ｌａと短軸Ｓａの長さの比は、３／１以下であり、１３／５以下であることが好ましく、１１／５以下であることがより好ましい。長軸Ｌａと短軸Ｓａの長さの比が１７／１０未満である場合、及び長軸Ｌａと短軸Ｓａの長さの比が３／１を越える場合は、口腔内の被マッサージ部位を適切に刺激することが困難になり、マッサージ効果が低下する。
【００２７】
ここで、短軸Ｓａとは、例えば、平面視にて口腔内マッサージ具１の長手方向に直交するようにヘッド部１１を縦断する線分のうち、最も長さの長い線分をいう。また、長軸Ｌａとは、例えば、短軸Ｓａの中点Ｍを通り、かつ、短軸Ｓａと直交する線分であって、中点Ｍが自身の中点ともなるような線分をいう。すなわち、長軸Ｌａにおいて、中点Ｍからヘッド部１１の先端方向へと向かう線分の長さと、中点Ｍから柄部２１方向へ向かう線分の長さとは等しくなる。
【００２８】
長軸Ｌａの長さとしては、例えば、２０ｍｍ以上であることが好ましく、３０ｍｍ以上であることがより好ましく、４０ｍｍ以上であることがさらに好ましい。また、長軸Ｌａの長さとしては、例えば、７０ｍｍ以下であることが好ましく、６０ｍｍ以下であることがより好ましく、５０ｍｍ以下であることがさらに好ましい。長軸Ｌａの長さが２０ｍｍ未満の場合、押圧面１３の面積が相対的に減少することよって、マッサージ効率が低下する傾向にある。また、長軸Ｌａの長さが７０ｍｍを越える場合、押圧面１３の面積が相対的に増大することによって、被マッサージ部位を適切に刺激することが困難になる恐れがあり、マッサージ効果が低下する傾向にある。
【００２９】
短軸Ｓａの長さとしては、例えば、１０ｍｍ以上であることが好ましく、１５ｍｍ以上であることがより好ましく、２０ｍｍ以上であることがさらに好ましい。また、短軸Ｓａの長さとしては、例えば、４０ｍｍ以下であることが好ましく、３５ｍｍ以下であることがより好ましく、３０ｍｍ以下であることがさらに好ましい。短軸Ｓａの長さが１０ｍｍ未満の場合、押圧面１３の面積が相対的に減少することよって、マッサージ効率が低下する傾向にある。また、短軸Ｓａの長さが４０ｍｍを越える場合、押圧面１３の面積が相対的に増大することによって、被マッサージ部位を適切に刺激することが困難になる恐れがあり、マッサージ効果が低下する傾向にある。
【００３０】
ヘッド部１１における長手方向の長さＬ１としては、例えば、４０ｍｍ以上であることが好ましく、５０ｍｍ以上であることがより好ましく、６０ｍｍ以上であることがさらに好ましい。また、長軸Ｌａの長さとしては、例えば、９０ｍｍ以下であることが好ましく、８０ｍｍ以下であることがより好ましく、７０ｍｍ以下であることがさらに好ましい。
【００３１】
ヘッド部１１の厚さＴ１としては、例えば、５ｍｍ以上であることが好ましく、７ｍｍ以上であることがより好ましく、９ｍｍ以上であることがさらに好ましい。また、ヘッド部１１の厚さＴ１としては、例えば、２０ｍｍ以下であることが好ましく、１５ｍｍ以下であることがより好ましく、１１ｍｍ以下であることがさらに好ましい。厚さＴ１が５ｍｍ未満である場合、機械的強度が低下し、耐久性が低下する恐れがある。また、厚さＴ１が２０ｍｍを超える場合、口腔内のマッサージを行うことが困難になる傾向にある。
【００３２】
図２における、ヘッド部１１の最上位置と最下位置間の厚さ方向の長さＴ２としては、例えば、１０ｍｍ以上であることが好ましく、１２ｍｍ以上であることがより好ましく、１４ｍｍ以上であることがさらに好ましい。また、長さＴ２としては、例えば、２５ｍｍ以下であることが好ましく、２０ｍｍ以下であることがより好ましく、１６ｍｍ以下であることがさらに好ましい。長さＴ２が１０ｍｍ未満である場合、及び、長さＴ２が２５ｍｍを越える場合は、押圧面１３をマッサージに適した形状にすることが難しくなる傾向にあり、結果として、マッサージ効果が低下する恐れがある。
【００３３】
図２における、ヘッド部１１の最下位置と、ヘッド部１１の柄部２１側の端部における最下位置との間の厚さ方向の長さＴ３としては、例えば、１ｍｍ以上であることが好ましく、２ｍｍ以上であることがより好ましく、３ｍｍ以上であることがさらに好ましい。また、長さＴ３としては、例えば、６ｍｍ以下であることが好ましく、５ｍｍ以下であることがより好ましく、４ｍｍ以下であることがさらに好ましい。長さＴ３が１ｍｍ未満である場合、マッサージ中に柄部２１が唇などに強く当たって、痛みが生じる恐れがある。また、長さＴ３が６ｍｍを越える場合、押圧面１３を口腔内に押し当てた場合に、口腔内に当たる部分が少なくなり、マッサージ効果が低下する恐れがある。
【００３４】
Ｔ２に対するＴ１の比（Ｔ１／Ｔ２）としては、例えば、５／２５以上が好ましく、５／１４以上がより好ましく、５／１０以上がさらに好ましい。また、Ｔ２に対するＴ１の比としては、例えば、１５／１６以下が好ましく、９／１０以下がより好ましく、８／１０以下がさらに好ましい。Ｔ２に対するＴ１の比を上記の範囲にすることにより、マッサージにより適した形状にすることができ、結果として、マッサージ効果を向上させることが可能になる。
【００３５】
Ｔ２に対するＴ３の比（Ｔ３／Ｔ２）としては、例えば、１／２５以上が好ましく、１／１４以上がより好ましく、１／１０以上がさらに好ましい。また、Ｔ２に対するＴ１の比としては、例えば、６／１０以下が好ましく、４／１０以下がより好ましく、５／２０以下がさらに好ましい。Ｔ２に対するＴ３の比が１／２５未満の場合、マッサージ中に柄部２１が唇などに強く当たって、痛みが生じる恐れがある。また、Ｔ２に対するＴ３の比が６／１０を超える場合、押圧面１３を口腔内に押し当てた場合に、口腔内に当たる部分が少なくなり、マッサージ効果が低下する恐れがある。
【００３６】
押圧面１３に用いられる材料としては、特に限定されないが、例えば、成形性や軽量性の観点からは、熱可塑性エラストマーが好ましい。熱可塑性エラストマーの中でも、例えば、口腔内のマッサージに適した弾性を実現でき、人体への安全性が高いという観点からは、スチレン系熱可塑性エラストマー、オレフィン系熱可塑性エラストマー、ポリエステル系熱可塑性エラストマー、ポリウレタン系熱可塑性エラストマー、又はポリブタジエン系熱可塑性エラストマー等が好ましく、スチレン系熱可塑性エラストマーがより好ましい。また、スチレン系熱可塑性エラストマーの中でも、例えば、ＳＥＢＳ（スチレン・エチレン・ブチレン・スチレン）ブロック共重合体が好ましい。なお、上記の材料は、単独で用いても良いし、２種以上を組み合わせて用いても良い。
【００３７】
押圧面１３は、例えば、口腔内のマッサージ効果を高め、かつ、マッサージ時に過度な痛みを生じさせないために、適度な弾性を有していることが好ましい。このような観点から、押圧面１３を形成する材料の引張強さは、例えば、４ＭＰａ以上であることが好ましく、５ＭＰａ以上であることがより好ましく、５．６ＭＰａ以上であることがさらに好ましい。また、押圧面１３を形成する材料の引張強さは、例えば、２４ＭＰａ以下であることが好ましく、１２ＭＰａ以下であることがより好ましく、８ＭＰａ以下であることがさらに好ましい。押圧面１３を形成する材料の引張強さが４ＭＰａ未満の場合は、被マッサージ部位への刺激が不十分となって、マッサージ効果が低下する傾向にある。また、押圧面１３を形成する材料の引張強さが２４ＭＰａを越える場合は、マッサージ時に過度な痛みが生じる恐れがある。
【００３８】
また、押圧面１３を形成する材料の３００％モジュラスは、例えば、０．４ＭＰａ以上であることが好ましく、０．７ＭＰａ以上であることがより好ましく、１．０ＭＰａ以上であることがさらに好ましい。また、押圧面１３を形成する材料の３００％モジュラスは、例えば、７ＭＰａ以下であることが好ましく、３ＭＰａ以下であることがより好ましく、１．５ＭＰａ以下であることがさらに好ましい。押圧面１３を形成する材料の３００％モジュラスが０．４ＭＰａ未満の場合は、被マッサージ部位への刺激が不十分となって、マッサージ効果が低下する傾向にある。また、押圧面１３を形成する材料の引張強さが２４ＭＰａを越える場合は、マッサージ時に過度な痛みが生じる恐れがある。
【００３９】
また、押圧面１３を形成する材料の切断時伸び率は、例えば、８００％以上であることが好ましく、８３０％以上であることがより好ましく、８９０％以上であることがさらに好ましい。また、押圧面１３を形成する材料の切断時伸び率は、例えば、９７０％以下であることが好ましく、９５０％以下であることがより好ましく、９２０％以下であることがさらに好ましい。押圧面１３を形成する材料の切断時伸び率が８００％未満の場合は、マッサージ時に過度な痛みが生じる恐れがある。また、押圧面１３を形成する材料の切断時伸び率が９７０％を超える場合は、被マッサージ部位への刺激が不十分となって、マッサージ効果が低下する傾向にある。
【００４０】
上記の引張強さ、３００％モジュラス、及び切断時伸び率は、ＪＩＳ Ｋ ６２５１（２０１０年）に準拠して測定される値である。なお、３００％モジュラスとは、試験片に３００％の伸びを与えた際の引張力を、試験片の初期断面積で除した値である。上記の各物性の測定において、試験片の形状は、ＪＩＳ Ｋ ６２５１に規定される形状であれば、いずれの形状を採用しても良い。押圧面１３を形成する材料は、ＪＩＳ Ｋ ６２５１に規定されるいずれかの形状（例えば、ダンベル状）の試験片を用いた際に、各物性の測定値が、上記した範囲に含まれていることが好ましい。
【００４１】
柄部２１は、ヘッド部１１から延設するように形成されている。柄部２１の形状としては、特に限定されないが、略棒状であることが好ましく、例えば、一般的な歯ブラシの柄と同様の形状を採用しても良い。
【００４２】
柄部２１におけるヘッド部１１側の端部には、柄部２１の幅が最小となるネック部２２が形成されている。ネック部２２の幅Ｗ１としては、例えば、５ｍｍ以上であることが好ましく、６ｍｍ以上であることがより好ましく、７ｍｍ以上であることがさらに好ましい。また、ネック部２２の幅Ｗ１としては、例えば、１８ｍｍ以下であることが好ましく、１２ｍｍ以下であることがより好ましく、９ｍｍ以下であることがさらに好ましい。ネック部２２の幅Ｗ１が５ｍｍ未満の場合、機械的強度が低下し、耐久性が低下する恐れがある。また、ネック部２２の幅Ｗ１が１８ｍｍを越える場合、しなり性が低下し、口腔内のマッサージがし難くなる傾向にある。
【００４３】
柄部２１におけるヘッド部１１側の端部には、柄部２１の幅が最小となるネック部２２が形成されている。ネック部２２の幅Ｗ１としては、例えば、５ｍｍ以上であることが好ましく、６ｍｍ以上であることがより好ましく、７ｍｍ以上であることがさらに好ましい。また、ネック部２２の幅Ｗ１としては、例えば、１８ｍｍ以下であることが好ましく、１２ｍｍ以下であることがより好ましく、９ｍｍ以下であることがさらに好ましい。ネック部２２の幅Ｗ１が５ｍｍ未満の場合、機械的強度が低下し、耐久性が低下する恐れがある。また、ネック部２２の幅Ｗ１が１８ｍｍを越える場合、しなり性が低下し、口腔内のマッサージがし難くなる傾向にある。
【００４４】
柄部２１におけるヘッド部１１とは逆側の端部近傍には、柄部２１の幅が最大となる部位が設けられている。柄部２１の最大幅Ｗ２としては、例えば、１０ｍｍ以上であることが好ましく、１３ｍｍ以上であることがより好ましく、１６ｍｍ以上であることがさらに好ましい。また、柄部２１の最大幅Ｗ２としては、例えば、４０ｍｍ以下であることが好ましく、３０ｍｍ以下であることがより好ましく、２０ｍｍ以下であることがさらに好ましい。最大幅Ｗ２が１０ｍｍ未満の場合、及び、最大幅Ｗ２が４０ｍｍを越える場合は、柄部２１を把持し難くなり、結果として、適切なマッサージをしにくくなる傾向にある。
【００４５】
使用者は、例えば、柄部２１におけるヘッド部１１とは逆側の端部近傍を掌と親指を除く４本の指で握り、親指を柄部２１に沿わせるようにして、口腔内マッサージ具１を把持することができる。
【００４６】
柄部２１における使用者の掌や指が触れる部位の少なくとも一部には、柄部２１を強く把持した場合でも使用者に痛みが生じにくくなるように、クッション部材２３が備えられていることが好ましい。クッション部材２３に用いられる材料としては、適度な弾性を有するものであれば特に限定はされず、例えば、押圧面１３に用いられる材料として上述したもの中から、適宜選択することができる。また、クッション部材２３は、使用者が把持し易いように滑り止め機能を備えていることが好ましく、例えば、クッション部材２３の摩擦係数が、柄部２１におけるクッション部材２３以外の部位の摩擦係数よりも大きくなるよう構成することが好ましい。
【００４７】
柄部２１におけるクッション部材２３を除く部位に用いられる材料としては、特に限定はされないが、例えば、適度なしなり性と、高い機械的強度とをもたせることができるという観点からは、ポリプロピレン、ポリエチレン、ポリエチレンテレフタレート、ＡＢＳ樹脂、又はポリスチレン等の熱可塑性樹脂を用いることが好ましい。
【００４８】
図２に示すように、口腔内マッサージ具１は、ヘッド部１１の最下位置から、柄部２１におけるヘッド部１１とは逆側の端部近傍にかけて、上に凸な湾曲部２４を有する。このような構成により、マッサージ中に柄部２１が唇などに強く当たって、痛みが生じるといった事態を防止することが可能になる。
【００４９】
図２における、ヘッド部１１の最上位置と、ネック部２２の最上位置との間の厚さ方向の長さＴ４としては、例えば、４ｍｍ以上であることが好ましく、５ｍｍ以上であることがより好ましい。また、長さＴ４としては、例えば、７ｍｍ以下であることが好ましく、６ｍｍ以下であることがより好ましい。ネック部２２の最上位置と、柄部２１におけるヘッド部１１とは逆側の端部近傍の最上位置との間の厚さ方向の長さＴ５としては、例えば、１０ｍｍ以上であることが好ましく、１２ｍｍ以上であることがより好ましい。また、長さＴ５としては、例えば、１７ｍｍ以下であることが好ましく、１５ｍｍ以下であることがより好ましい。
【００５０】
図２における、柄部２１におけるヘッド部１１とは逆側の端部近傍の厚さＴ６としては、例えば、５ｍｍ以上であることが好ましく、７ｍｍ以上であることがより好ましい。また、厚さＴ６としては、例えば、１１ｍｍ以下であることが好ましく、９ｍｍ以下であることがより好ましい。ヘッド部１１の最上位置と、柄部２１における最下位置との間の厚さ方向の長さＴ７としては、例えば、２０ｍｍ以上であることが好ましく、２５ｍｍ以上であることがより好ましい。また、長さＴ７としては、例えば、４２ｍｍ以下であることが好ましく、３０ｍｍ以下であることがより好ましい。
【００５１】
Ｔ７に対するＴ４の比（Ｔ４／Ｔ７）としては、例えば、４／４２以上が好ましく、７／４２以上がより好ましい。また、Ｔ７に対するＴ４の比としては、例えば、７／２０以下が好ましく、５／２０以下がより好ましい。
【００５２】
Ｔ７に対するＴ５の比（Ｔ５／Ｔ７）としては、例えば、１０／４２以上が好ましく、１７／４２以上がより好ましい。また、Ｔ７に対するＴ５の比としては、例えば、１７／２０以下が好ましく、１７／３０以下がより好ましい。
【００５３】
Ｔ７に対するＴ６の比（Ｔ６／Ｔ７）としては、例えば、５／４２以上が好ましく、５／２０以上がより好ましい。また、Ｔ７に対するＴ６の比としては、例えば、１１／２０以下が好ましく、１／３以下がより好ましい。
【００５４】
Ｔ４〜Ｔ７が上記の好ましい範囲にあること、並びに／又は、Ｔ４／Ｔ７、Ｔ５／Ｔ７、及びＴ６／Ｔ７が上記の好ましい範囲にあることによって、例えば、柄部２１を把持し易くなったり、マッサージ中に柄部２１が唇などに強く当たって、痛みが生じるといった事態を防止したりすることができる。
【００５５】
口腔内マッサージ具１の各部位の長さや幅等の好ましい具体例としては、Ｌ１が６６ｍｍ、Ｓａが２５ｍｍ、Ｌ２が１１４ｍｍ、Ｌ３が１８０ｍｍ、Ｗ１が８ｍｍ、Ｗ２が１８ｍｍ、Ｔ１が１０ｍｍ、Ｔ２が１５ｍｍ、Ｔ３が３．５ｍｍ、Ｔ４が５．５ｍｍ、Ｔ５が１３．５ｍｍ、Ｔ６が８ｍｍ、Ｔ７が２７ｍｍである。
【００５６】
使用者は、口腔内マッサージ具１の押圧面１３を口腔内の被マッサージ部位に押し当てて押圧したり、押し当てた状態でこするように動かしたりすることで、口腔内のマッサージを行う。ほうれい線を目立たなくさせる、又は口角を上げることを目的とする場合は、例えば、モダイオラス、上唇挙筋、上唇鼻翼挙筋、口輪筋等を被マッサージ部位とすることが好ましい。また、唾液の分泌促進を目的とする場合は、例えば、耳下唾液腺、顎下唾液腺、舌下唾液腺等を被マッサージ部位とすることが好ましい。
【００５７】
［第二の実施の形態］
次に、本発明の第二の実施の形態にかかる、口腔内マッサージ具について説明をする。図３は、本発明の実施の形態の少なくとも１つに対応する、口腔内マッサージ具の模式図である。図３において、図１及び図２に付された符号と同一の符号を付されている部位については、第一の実施の形態において記載した内容を、必要な範囲で採用できるものとする。
【００５８】
図３に示す口腔内マッサージ具１は、ヘッド部１１と柄部１２が着脱自在に構成されており、図３は、ヘッド部１１と柄部１２を分離させた状態を示している。
【００５９】
ヘッド部１１における柄部２１側の端部には、ヘッド部１１の内部に向かって陥入するように形成された、嵌合穴１４が設けられている。柄部２１におけるヘッド部１１側の端部には、軸部材２５が設けられている。嵌合穴１４の形状と、軸部材２５の形状は、互いに対応する関係にあり、軸部材２５を嵌合穴１４に嵌合させることで、ヘッド部１１を柄部２１に取り付けることができる。
【００６０】
軸部材２５は、その先端及び中間付近に、それぞれ球状の係止部材２６ａ及び２６ｂを有している。また、嵌合穴１４は、その最奥及び中間付近に、係止部材２６ａ及び２６ｂにそれぞれ対応する形状を有する係止穴１５ａ及び１５ｂを有している。係止部材２６ａを嵌合穴１４の入口に当てて、強く押し込むことにより、ヘッド部１１が弾性変形し、軸部材２５が嵌合穴１４に挿入される。そして、係止部材２６ａ及び２６ｂそれぞれが、係止穴１５ａ及び１５ｂのそれぞれに収まることにより、ヘッド部１１と柄部２１とが、容易には分離しないようになる。結果として、口腔内のマッサージ中にヘッド部１１と柄部２１とが分離してヘッド部１１を誤飲してしまう、といった事故を防止しやすくなる。
【００６１】
係止部材２６の数、形状、及び位置としては、上記の例に限定されるわけではない。同様に、係止穴１５の数、形状、及び位置についても、上記の例に限定されるわけではなく、係止部材２６に対応するように設ければ良い。
【００６２】
図３の例では、ヘッド部１１に嵌合穴を設け、柄部２１に軸部材を設けているが、このような態様に限定されるわけではなく、例えば、ヘッド部１１に軸部材を設け、柄部２１に嵌合穴を設けても良い。
【符号の説明】
【００６３】
１      口腔内マッサージ具
１１      ヘッド部
１２      窪み
１３      押圧面
１４      嵌合穴
１５      係止穴
２１      柄部
２２      ネック部
２３      クッション部材
２４      湾曲部
２５      軸部材
２６      係止部材
【図１】
2019058353.tif 000003
【図２】
2019058353.tif 000004
【図３】
2019058353.tif 000005